(57)【要約】【課題】電子機器の利便性を高める。【解決手段】電子機器は、制御装置と、制御装置からの出力に基づいて、出力に応じた内容を表示する状態と、何も表示しない状態とが切り替わる表示装置とを有している。表示装置は、何も表示していないときに、電子機器の姿勢がある姿勢である場合、電子機器の入力装置の複数の入力部のうちの１つの第１入力部への入力操作が行われたことに応じて、表示を行い、電子機器が前記ある姿勢とは異なる姿勢である場合、電子機器の入力装置の複数の入力部のうちの２つ以上の第２入力部のいずれかへの入力操作が行われたことに応じて、表示を行う。【選択図】図１
2019174927.tif 000002
【特許請求の範囲】
【請求項１】
電子機器であって、
制御装置と、
前記制御装置からの出力に基づいて、該出力に応じた内容を表示する状態と、何も表示しない状態とが切り替わる表示装置と、を備え、
前記表示装置は、該表示装置が何も表示していないときに、
前記電子機器の姿勢がある姿勢である場合、前記電子機器の入力装置の複数の入力部のうちの１つの第１入力部への入力操作が行われたことに応じて、表示を行い、
前記電子機器が前記ある姿勢とは異なる姿勢である場合、前記電子機器の入力装置の複数の入力部のうちの２つ以上の第２入力部のいずれかへの入力操作が行われたことに応じて、表示を行う、
電子機器。
【請求項２】
前記表示装置は、
水平面又は前記電子機器の設置面に対する、前記電子機器の表示装置および入力装置の少なくともいずれかの傾き方を、前記電子機器の姿勢として、前記制御装置からの出力に基づいて、表示を行う、
請求項１に記載の電子機器。
【請求項３】
電子機器であって、
制御装置と、
前記制御装置からの出力に基づいて、該出力に応じた内容を表示する状態と、何も表示しない状態とが切り替わる表示装置と、を備え、
前記表示装置は、該表示装置が何も表示していないときに、
前記電子機器の入力装置が、前記制御装置が実行可能な複数の機能のうちの第１の機能に係わる入力操作をユーザーが前記電子機器の入力装置に対して行うのに適した傾き方である場合、該電子機器の入力装置の複数の入力部のうちの１つの第１入力部への入力操作が行われたことに応じて、前記第１の機能に係わる表示を行い、
前記電子機器の該表示装置が、前記複数の機能のうちの第２の機能に係わる表示が出力された前記表示装置をユーザーが視認するのに適した傾き方である場合、前記電子機器の前記入力装置の複数の入力部のうちの２つ以上の第２入力部のいずれかへの入力操作が行われたことに応じて、前記第２の機能に係わる表示を行う、
電子機器。
【請求項４】
前記第１の機能は、電卓機能であり、
前記第２の機能は、時計表示機能、カレンダー表示機能、温度表示機能、湿度表示機能、又はこれらの組合せである、請求項３に記載の電子機器。
【請求項５】
電子機器であって、
制御装置と、
前記制御装置からの出力に基づいて、該出力に応じた内容を表示する状態と、何も表示しない状態とが切り替わる表示装置と、
前記電子機器の姿勢がある姿勢であるか否かを検知する姿勢センサと、
入力操作を受け付ける複数の入力部を有する入力装置と、を備え、
前記制御装置は、
前記電子機器の姿勢がある姿勢であることが前記姿勢センサにより検知されているときであって、且つ、前記表示装置によって何も表示させていないときに、前記入力装置の前記複数の入力部のうちの１つの第１入力部への入力が受け付けられると、前記表示装置によって表示を行わせ、
前記電子機器が前記ある姿勢とは異なる姿勢であることが前記姿勢センサにより検知されているときであって、且つ、前記表示装置によって何も表示させていないときに、前記入力装置の前記複数の入力部のうちの２つ以上の第２入力部のいずれかへの入力操作が受け付けられると、前記表示装置によって表示を行わせる、
電子機器。
【請求項６】
前記姿勢センサは、
水平面又は前記電子機器の設置面に対する、前記電子機器の表示装置および入力装置の少なくともいずれかの傾き方を、前記電子機器の前記姿勢として検知する、
請求項５に記載の電子機器。
【請求項７】
電子機器であって、
制御装置と、
前記制御装置からの出力に基づいて、該出力に応じた内容を表示する状態と、何も表示しない状態とが切り替わる表示装置と、
入力操作を受け付ける複数の入力部を有する入力装置と、
前記入力装置が、前記制御装置が実行可能なある機能に係わる入力操作を行うのに適した傾き方であるか否かを検知する姿勢センサと、を備え、
前記制御装置は、
前記入力装置が前記ある機能に係わる入力操作を行うのに適した傾き方であることが前記姿勢センサにより検知されているときであって、且つ、前記表示装置によって何も表示させていないときに、前記入力装置の前記複数の入力部のうちの１つの第１入力部への入力が受け付けられると、前記ある機能に係わる表示を、前記表示装置によって行わせる、
電子機器。
【請求項８】
前記１つの第１入力部は、前記複数の入力部のうちの１つの入力部のみを含む、
請求項１乃至７の何れか１項に記載の電子機器。
【請求項９】
前記１つの第１入力部は、前記入力装置の周縁部に配置された入力部である、
請求項１乃至８の何れか１項に記載の電子機器。
【請求項１０】
電子機器であって、
制御装置と、
前記制御装置からの出力に基づいて、該出力に応じた内容を表示する状態と、何も表示しない状態とが切り替わる表示装置と、
入力操作を受け付ける複数の入力部を有する入力装置と、
前記表示装置が、前記制御装置が実行可能なある機能に係わる表示を視認するのに適した傾き方であるか否かを検知する姿勢センサと、を備え、
前記制御装置は、
前記表示装置が表示を前記ある機能に係わる視認するのに適した傾き方であることが前記姿勢センサにより検知されているときであって、且つ、前記表示装置によって何も表示させていないときに、前記入力装置の前記複数の入力部のうちの２つ以上の第２入力部のいずれかへの入力が受け付けられると、前記ある機能に係わる表示を、前記表示装置によって行わせる、
電子機器。
【請求項１１】
前記２つ以上の第２入力部は、前記複数の入力部のすべての入力部を含む、
請求項１乃至１０の何れか１項に記載の電子機器。
【請求項１２】
前記２つ以上の第２入力部は、前記入力装置の中央部に配置された入力部である、
請求項１乃至１１の何れか１項に記載の電子機器。
【請求項１３】
電子機器の制御方法であって、前記電子機器は、
制御装置と、
前記制御装置からの出力に基づいて、該出力に応じた内容を表示する状態と、何も表示しない状態とが切り替わる表示装置と、
前記電子機器の姿勢がある姿勢であるか否かを検知する姿勢センサと、
入力操作を受け付ける複数の入力部を有する入力装置と、を備え、
前記制御装置は、
電子機器の姿勢がある姿勢であることが前記姿勢センサにより検知されているときであって、且つ、前記表示装置によって何も表示させていないときに、前記入力装置の前記複数の入力部のうちの１つの第１入力部への入力が受け付けられると、前記表示装置によって表示を行わせ、
前記電子機器が前記ある姿勢とは異なる姿勢であることが前記姿勢センサにより検知されているときであって、且つ、前記表示装置によって何も表示させていないときに、前記入力装置の前記複数の入力部のうちの２つ以上の第２入力部のいずれかへの入力操作が受け付けられると、前記表示装置によって表示を行わせる、
電子機器の制御方法。
【請求項１４】
制御装置と、
前記制御装置からの出力に基づいて、該出力に応じた内容を表示する状態と、何も表示しない状態とが切り替わる表示装置と、
電子機器の姿勢がある姿勢であるか否かを検知する姿勢センサと、
入力操作を受け付ける複数の入力部を有する入力装置と、を備える電子機器において、
制御装置に、
電子機器の姿勢がある姿勢であることが前記姿勢センサにより検知されているときであって、且つ、前記表示装置によって何も表示させていないときに、前記入力装置の前記複数の入力部のうちの１つの第１入力部への入力が受け付けられると、前記表示装置によって表示を行わせ、
前記電子機器が前記ある姿勢とは異なる姿勢であることが前記姿勢センサにより検知されているときであって、且つ、前記表示装置によって何も表示させていないときに、前記入力装置の前記複数の入力部のうちの２つ以上の第２入力部のいずれかへの入力操作が受け付けられると、前記表示装置によって表示を行わせる、
ことを実行させるためのプログラム。
【請求項１５】
電子機器であって、
前記電子機器の姿勢を検出する姿勢センサと、
第１の入力部を含む複数の入力部からなり、入力操作を受ける、入力装置と、
前記入力装置からの入力に応じて表示を出力する制御装置と、
前記出力に応じた表示をする表示装置と、
を具備し、
前記制御装置は、
前記表示装置の表示がＯＦＦかつ前記姿勢センサがある姿勢であることを検出したとき、前記第１の入力部からの入力を前記表示装置の表示をＯＮにするための指示として受け付け、
前記表示装置の表示がＯＦＦかつ前記姿勢センサが前記ある姿勢ではないことを検出したとき、前記複数の入力部のいずれかからの入力を前記表示装置の表示をＯＮにするための指示として受け付ける、電子機器。
【請求項１６】
前記電子機器は、メイン機能とサブ機能とを備え、
前記制御装置は、
前記表示装置の表示がＯＦＦかつ前記電子機器が水平面又は該電子機器の設置面に対して起きた姿勢であることを前記姿勢センサが検出したとき、前記第１の入力部からの入力に応じて、電卓機能に係わる表示を出力し、
前記表示装置の表示がＯＦＦかつ前記電子機器が水平面又は該電子機器の設置面に対して寝た姿勢であることを前記姿勢センサが検出したとき、前記複数の入力部のいずれかからの入力に応じて、時計表示機能、カレンダー表示機能、温度表示機能、湿度表示機能、又はこれらの組合せに係わる表示を出力する、請求項１５に記載の電子機器。
【請求項１７】
電子機器の第１の姿勢と第２の姿勢とを検出することと、
前記電子機器の表示装置の表示がＯＦＦかつ前記第１の姿勢を検出したとき、第１の入力部を含む複数の入力部のうちの前記第１の入力部からの入力を前記表示装置の表示をＯＮにするための指示として受け付けることと、
前記表示装置の表示がＯＦＦかつ前記第２の姿勢を検出したとき、前記複数の入力部のいずれかからの入力を前記表示装置の表示をＯＮにするための指示として受け付けることと、
を含む、電子機器の制御方法。
【請求項１８】
コンピュータに、
電子機器の第１の姿勢と第２の姿勢とを検出することと、
前記電子機器の表示装置の表示がＯＦＦかつ前記第１の姿勢を検出したとき、第１の入力部を含む複数の入力部のうちの前記第１の入力部からの入力を前記表示装置の表示をＯＮにするための指示として受け付けることと、
前記表示装置の表示がＯＦＦかつ前記第２の姿勢を検出したとき、前記複数の入力部のいずれかからの入力を前記表示装置の表示をＯＮにするための指示として受け付けることと、
を実行させるためのプログラム。
【発明の詳細な説明】
【技術分野】
【０００１】
本発明は、電子機器、電子機器の制御方法、及びプログラムに関する。
【背景技術】
【０００２】
メイン機能とサブ機能とを備えた電子機器が一般に知られている。例えば、特許文献１には、メモモードと通常表示モードとを備える電子メモ装置が開示されている。電子メモ装置は、装置本体の傾斜を検出する検出スイッチと、検出スイッチの出力によりモードの切替えを制御する制御回路とを有している。制御回路は、装置本体を寝かせたときと立てかけたときとの検出スイッチの出力により、メモモードと通常表示モードとを切り替える。電子メモ装置は、装置本体を寝かせたときにメモモードをとり、装置本体を立てかけたときに通常表示モードをとる。
【０００３】
特許文献１に記載の電子メモ装置は、主に本体装置を寝かせた姿勢で使用するメイン機能（メモ入力機能）と、主に本体装置を立てかけた姿勢で使用するサブ機能（時計等表示機能）とを備えている。
【先行技術文献】
【特許文献】
【０００４】
【特許文献１】特開平９−２３１１７８号公報
【発明の概要】
【発明が解決しようとする課題】
【０００５】
電子機器の姿勢に応じた、より利便性に優れた表示制御を行うことが求められる。
【０００６】
そこで、本発明は、利便性に優れた電子機器、電子機器の制御方法、及びプログラムを提供することを目的とする。
【課題を解決するための手段】
【０００７】
本発明の一実施形態は、電子機器である。電子機器は、制御装置と、前記制御装置からの出力に基づいて、該出力に応じた内容を表示する状態と、何も表示しない状態とが切り替わる表示装置と、を備える。前記表示装置は、該表示装置が何も表示していないときに、前記電子機器の姿勢がある姿勢である場合、前記電子機器の入力装置の複数の入力部のうちの１つの第１入力部への入力操作が行われたことに応じて、表示を行い、前記電子機器が前記ある姿勢とは異なる姿勢である場合、前記電子機器の入力装置の複数の入力部のうちの２つ以上の第２入力部のいずれかへの入力操作が行われたことに応じて、表示を行う。
【図面の簡単な説明】
【０００８】
【図１】図１は、本発明の一実施形態の電子機器の構成の一例を示すブロック図である。
【図２Ａ】図２Ａは、立てて置かれた状態で表示装置に時計及びカレンダー表示をしている電子機器の一例を示す図である。
【図２Ｂ】図２Ｂは、立てて置かれた状態で表示装置に温度及び湿度表示をしている電子機器の一例を示す図である。
【図２Ｃ】図２Ｃは、寝かせて置かれた状態で電卓として使用されている電子機器の一例を示す図である。
【図３】図３は、電子機器の状態遷移の一例を示す図である。
【図４】図４は、電子機器の状態遷移の一例を示す図である。
【図５】図５は、電子機器の状態遷移の一例を示す図である。
【図６Ａ】図６Ａは、電子機器の遷移検出処理、オートパワーオフ（ＡＰＯ）／ガジェット表示処理の一例を示すフローチャートである。
【図６Ｂ】図６Ｂは、電子機器の遷移検出処理、ＡＰＯ／ガジェット表示処理の一例を示すフローチャートである。
【図７】図７は、電子機器のキー入力処理の一例を示すフローチャートである。
【発明を実施するための形態】
【０００９】
以下、本発明の一実施形態について、図面を参照して説明する。  
図１は、本発明の一実施形態に係る電子機器１の構成の一例を示すブロック図である。電子機器１は、メイン機能（第１の機能）として四則演算などの計算機能、すなわち電卓（演算）機能を有している。電子機器１は、サブ機能（第２の機能）として、時計表示機能、カレンダー表示機能、温度表示機能、湿度表示機能などのガジェット表示機能を有している。電子機器１は、電卓としてのメイン機能とガジェット表示装置としてのサブ機能とを併せ持つデバイスである。電子機器１は、ガジェット表示機能付の電卓であってよい。
【００１０】
電子機器１は、ＣＰＵ１０と、ＲＡＭ１２と、ＲＯＭ１４と、時計モジュール１６と、温度センサ１８と、湿度センサ２０と、姿勢センサ２２と、電池２４と、ソーラー電池２６と、入力装置２８と、表示駆動部（ＤＤ）３０と、表示装置３２とを有している。
【００１１】
ＣＰＵ１０は、電子機器１の各種動作を制御するプロセッサである。ＲＡＭ１２は、データメモリである。ＲＯＭ１４には、各種計算機能を実行するための電卓制御プログラム、時計表示プログラム等の各種プログラム、後述する各種モード等が記憶されている。ＣＰＵ１０は、ＲＯＭ１４に記憶されたプログラムに従って電子機器１の動作を制御し、入力装置２８からの入力を受け付けて入力に応じた各種機能等を実行する。ＣＰＵ１０以外のプロセッサ、例えば、ＡＳＩＣ（Application Specification Integrated Circuit）、ＦＰＧＡ（Field Programmable Gate Array）等が用いられてもよい。
【００１２】
時計モジュール１６は、現在の年、月、日、時、分、秒を計時する計時回路を含む。時計モジュール１６は、年、月、日、時、分、秒を示す計時信号をＣＰＵ１０に出力する。
【００１３】
温度センサ１８は、温度を検出する。湿度センサ２０は、湿度を検出する。姿勢センサ２２は、電子機器１の水平面又は電子機器１の設置面に対する姿勢、例えば後述する「起」又は「寝」の姿勢を検出する。姿勢センサ２２は、電子機器１の加速度を検出する加速度センサであってよい。加速度センサは、互いに直交する３軸に沿ったそれぞれの加速度を検出することで、電子機器１の姿勢を検出する。姿勢センサ２２は、電子機器１の角速度を検出する角速度センサであってもよい。角速度センサは、互いに直交する３軸に沿ったそれぞれの角速度を検出し、電子機器１の姿勢の変化から姿勢を推定する。
【００１４】
さらに、姿勢センサ２２は、物理スイッチの変位を検知することにより、２状態のうち１つの状態を特定可能に構成された変位センサであってもよい。この場合、変位センサとして、例えば、筐体３４の底面３８に、一部が底面３８から突出する基準位置へ位置されるように付勢された物理スイッチを設ける。そして、底面３８を鉛直下方へ向けて、つまり、該底面３８が略水平方向に沿い、第１の面３６が略鉛直方向に沿うように、電子機器１を載置面へ載置したときに、物理スイッチのうち筐体３４の底面３８から突出した一部が載置面により押下されて、該一部の端部が筐体３４の底面３８とほぼ面一となる位置まで、物理スイッチが変位する。姿勢センサ２２は、この変位を検知しているときに、電子機器１が「起」の姿勢であり、この変位が検知されない場合、すなわち、物理スイッチが基準位置に位置しているときに、電子機器１が「寝」の姿勢であると検知するものであってよい。
【００１５】
姿勢センサ２２としての同様の物理スイッチは、筐体３４の第１の面３６の反対側の第２の面４８に設けられていてもよい。この場合、姿勢センサ２２は、この変位を検知しているときに、電子機器１が「寝」の姿勢であり、この変位が検知されない場合、すなわち、物理スイッチが基準位置に位置しているときに、電子機器１が「起」の姿勢であると検知する。なお、姿勢センサ２２としての同様の物理スイッチは、筐体３４に少なくとも１つ設けられていればよい。筐体３４の各面については、後述する。
【００１６】
温度センサ１８、湿度センサ２０及び姿勢センサ２２は、それぞれ、センサによる検出データをデジタル信号化してＣＰＵ１０に出力する。
【００１７】
電池２４及びソーラー電池２６は、電子機器１に電力を供給する。通常はＣＰＵ１０の給電源としてボタン電池などの電池２４が使用される。例えば電池２４の消費を節約する場合などに、電池２４に代わってソーラー電池２６が使用される。電池２４は、１次電池又は２次電池であってよい。
【００１８】
入力装置２８は、例えば入力キーである。表示装置３２は、例えば液晶ディスプレイである。表示装置３２は、ＣＰＵ１０により動作を制御されるＤＤ３０を介して、ＣＰＵ１０からの出力に応じた電卓表示、時計表示、カレンダー表示、温度表示、湿度表示などをする。表示装置３２は、ＣＰＵ１０からの出力に基づいて、出力に応じた内容を表示する状態と、何も表示しない状態とが切り替わる。
【００１９】
図２Ａは、電子機器１の外観の一例を示す図である。電子機器１の上述の各部は、筐体３４に収容されている。筐体３４の面のうち最も大きな面の一つである第１の面３６に、ソーラー電池２６、入力装置２８としての入力キー、及び表示装置３２が配置されている。
【００２０】
筐体３４は、平坦な底面３８を有している。底面３８は、第１の面３６と共有する辺と、その共有する辺よりもかなり短い共有しない辺とを有する細長い長方形であり、第１の面３６よりも面積がかなり小さい。図２Ａでは、電子機器１は、底面３８を机又はテーブルなどの台２の上に立てて置いた状態で示されている。これを、水平面又は電子機器１の設置面に対する、電子機器１の「起」の姿勢と定義する。電子機器１は、例えば自立型である。すなわち、電子機器１は、電子機器１以外の支えなしで「起」の姿勢をとることができる。電子機器１を「起」の姿勢で保持するための補助的な脚部が電子機器１に設けられてもよい。また、自立型でなくても、別体のスタンドや筐体３４に一体型のスタンド等を用いて立てて置くことにより「起」の姿勢を保持できればよい。
【００２１】
電子機器１は、入力装置２８として、複数の入力キー（入力部）を有している。複数の入力キーは、「０」から「９」までの数字が付された数字キー、「＋」、「−」、「×」、「÷」が付された加減乗除の演算キー、「＝」が付されたイコールキー、「ＡＣ」が付されたＡＣキー４０、「ＯＦＦ」が付されたＯＦＦキー４２、時計マークが付された時計キー４４、各種機能キー４６などを含む。入力装置２８の各入力キーによる入力操作は、入力信号としてＣＰＵ１０に伝達される。
【００２２】
図２Ａでは、表示装置３２には時計及びカレンダーが表示されている。ここでは、一例として、１４時２３分を表す「１４−２３」と、１１月５日を表す「１１−０５」とが示されている。時計としての時分表示、カレンダーとしての月日表示以外にも、時計としての時分秒表示、カレンダーとしての年月日表示、あるいは曜日表示がされてよい。時計キー４４には、時計表示への切替え機能が割り当てられている。例えば、ユーザーが時計キー４４を押下すると、ＣＰＵ１０は表示装置３２に時計を表示させる。
【００２３】
図２Ｂは、「起」の姿勢での電子機器１の他の表示の一例を示す図である。図２Ｂでは、表示装置３２には温度及び湿度が表示されている。各種機能キー４６に、温度及び湿度表示への切替え機能が割り当てられてよい。例えば、ユーザーが機能キー４６を押下すると、ＣＰＵ１０は表示装置３２に温度及び湿度を表示させる。
【００２４】
なお、図２Ｂに示されるＸ、Ｙ及びＺ方向は、台２に固定された３軸方向である。台２の水平面がＸＹ平面である。
【００２５】
電子機器１の「起」の姿勢における推奨機能はサブ機能である。「起」の姿勢では、表示装置３２は、主に、サブ機能に基づく表示、例えば時計表示をする。すなわち、図２Ａ及び図２Ｂに示されるように、電子機器１が台２に立てて置かれた状態では、電子機器１は、主に、サブ機能によるガジェット表示装置として使用される。
【００２６】
図２Ｃは、電子機器１が電卓として使用されている状態の一例を示す図である。図２Ｃでは、電子機器１は、第１の面３６の反対側の第２の面４８を台２の上に寝かせて置かれた状態で示されている。これを、水平面又は電子機器１の設置面に対する、電子機器１の「寝」の姿勢と定義する。
【００２７】
電子機器１は、メイン機能で使用される場合、すなわち電卓として使用される場合には、図２Ｃに示されるように、通常、台２の上に寝かせて置いた状態で使用される。電卓として使用される場合には入力装置２８の入力キーが頻繁に押下されるため、第１の面３６が台２と略平行（略水平）となるように電子機器１を台２の上に寝かせて置くのが最も使いやすい。つまり、電子機器１をメイン機能として使用する場合の推奨姿勢は「寝」である。電子機器１の「寝」の姿勢における推奨機能はメイン機能であってよい。
【００２８】
電子機器１は、メイン機能である電卓として使用される場合以外には、図２Ａ及び図２Ｂに示されるように、第１の面３６が台２と略直交（略鉛直）となるように、台２の上に立てて置かれてよい。台２の上に立てて置かれたとき、電子機器１は、サブ機能で使用されてよい。電子機器１をサブ機能として使用する場合の推奨姿勢は「起」である。
【００２９】
電子機器１の使用態様として、以下のものが挙げられる。  
例えば、電子機器１を電卓として使用するとき、ユーザーは、図２Ｃに示されるように、電子機器１の第２の面４８を台２の上に置いて寝かせた状態で使用する。そして、ユーザーは、電子機器１を電卓として使い終えると、電子機器１の底面３８を台２の上に立てて置く。電子機器１は、立てて置かれた状態で図２Ａに示されるように時計及びカレンダー表示をする。
【００３０】
このように、電子機器１は、メイン機能では「寝」の姿勢で使用されることができ、メイン機能で使用しない場合には「起」の姿勢とされてよい。メイン機能で使用しない「起」の姿勢の場合には、電子機器１は、さらに、サブ機能に係わる表示をしてよい。
【００３１】
電卓機能のみを備える通常の電卓では、ユーザーは、使用時には電卓を台２に寝かせて置いた状態で使用し、非使用時には表示を切って電卓を台２にそのまま寝かせて置いたり引き出し等にしまったりする。台２にそのまま寝かせて置く場合には台２の上で第１の面３６の面積分のスペースを占有して邪魔になりうる。引き出し等にしまう場合にはしまう動作及び使用時にまた取り出す動作が生じる。
【００３２】
これに対して、電子機器１では、ユーザーは、メイン機能使用時には電子機器１を「寝」の姿勢で電卓として使用し、メイン機能非使用時には電子機器１を「起」の姿勢でガジェット表示装置として使用できる。非使用時に電子機器１を台２の上に自立させることで台２の上で第１の面３６よりもかなり小さい底面３８の面積分のみのスペース占有で済み、引き出しにしまわなくても邪魔にならない。さらに、メイン機能非使用時には種々の情報を表示するガジェット表示装置として実用的に用いることが可能である。
【００３３】
上述の使用態様は一例である。ＣＰＵ１０は、「起」の姿勢で表示装置３２に電卓表示をさせてもよいし、「寝」の姿勢で表示装置３２に時計表示、カレンダー表示、温度表示、湿度表示などをさせてもよい。上述したように、電子機器１をメイン機能として使用する場合の推奨姿勢は「寝」、サブ機能として使用する場合の推奨姿勢は「起」であるが、推奨姿勢とは異なる姿勢であっても、電子機器１をメイン機能又はサブ機能で使用することが可能である。電子機器１は、ユーザーの設定に応じて、さまざまな使用態様が可能である。
【００３４】
ここで、図２Ａ乃至２Ｃに示すように、本実施形態の入力装置２８及び表示装置３２は、電子機器１に対し変位不能に固定されて、設けられている。したがって、電子機器１が「起」の姿勢であるときには、入力装置２８及び表示装置３２も「起」の姿勢であり、電子機器１が「寝」の姿勢であるときには、入力装置２８及び表示装置３２も「寝」の姿勢である。
【００３５】
したがって、本実施形態では、電子機器１が「寝」の姿勢であるときには、入力装置２８も「寝」の姿勢であり、このとき、入力装置２８は、電子機器１が実行可能な複数の機能のうちのメイン機能としての計算機能に係わる入力操作を、ユーザーが入力装置２８に対して行うのに適した傾き方である。また、電子機器１が「起」の姿勢であるときには、表示装置３２も「起」の姿勢であり、このとき、表示装置３２は、電子機器１が実行可能な複数の機能のうちのサブ機能としてのガジェット表示機能に係わる表示が出力された表示装置３２をユーザーが視認するのに適した傾き方である。つまり、姿勢センサ２２は、メイン機能に係わる入力操作をユーザーが入力装置２８に対して行うのに適した傾き方、および、サブ機能に係わる表示が出力された表示装置３２をユーザーが視認するのに適した傾き方、のいずれかの傾き方であるか否かを区別して検知可能である。
【００３６】
なお、本実施形態の入力装置２８及び表示装置３２は、それぞれ独立に、電子機器１に対し相対的に変位可能に設けられてよい。つまり、入力装置２８及び表示装置３２は、電子機器１が「起」の姿勢であるときに、ユーザー操作に基づいてあるいは自動で、「起」及び「寝」の姿勢のいずれかの姿勢となるように変位可能に、電子機器１に対して設けられてよい。そして、姿勢センサ２２は、入力装置２８の姿勢が「起」及び「寝」の姿勢のいずれの姿勢であるかと、表示装置３２の姿勢が「起」及び「寝」の姿勢のいずれの姿勢であるかと、を個別に検出可能であってよい。姿勢センサ２２は、入力装置２８の姿勢と、表示装置３２の姿勢を、それぞれ個別に検知可能な複数のセンサ部を含んでよい。
【００３７】
この場合、電子機器１の姿勢にかかわらず、電子機器１の入力装置２８が「寝」の姿勢であることが、姿勢センサ２２により検知された場合、入力装置２８は、電子機器１が実行可能な複数の機能のうちのメイン機能としての計算機能に係わる入力操作を、ユーザーが入力装置２８に対して行うのに適した傾き方である。また、電子機器１の姿勢にかかわらず、電子機器１の表示装置３２が「起」の姿勢であることが、姿勢センサ２２により検知された場合、表示装置３２は、電子機器１が実行可能な複数の機能のうちのサブ機能としてのガジェット表示機能に係わる表示が出力された表示装置３２を、ユーザーが視認するのに適した傾き方である。このように、姿勢センサ２２は、電子機器１の姿勢にかかわらず、メイン機能に係わる入力操作をユーザーが入力装置２８に対して行うのに適した傾き方、および、サブ機能に係わる表示が出力された表示装置３２をユーザーが視認するのに適した傾き方、のいずれかの傾き方であるか否かを、区別して検知可能に構成されてよい。
【００３８】
本実施形態に係る電子機器１では、電子機器１の現在の状態に対する種々の遷移条件が設定されている。ＣＰＵ１０は、電子機器１の姿勢の変化等が遷移条件を満たしたとき、電子機器１を遷移後の状態（表示）へと遷移させる。つまり、ＣＰＵ１０は、姿勢センサ２２による電子機器１の姿勢の検出結果の変化と、電子機器１の姿勢が変化する前のＣＰＵ１０からの出力に基づく表示装置３２の表示の状態と、の組合せに基づいて、ＣＰＵ１０からの出力に基づく表示装置３２の表示の状態を切り替えるか否かを決定する。
【００３９】
以下、電子機器１の姿勢の変化があったこと又は所定時間操作入力がないことに基づく電子機器１の状態遷移について、図３乃至図５を参照して説明する。図３乃至図５及び以下の説明では、Ｎｏ．１〜１５の１５のモードを、電子機器１のメイン機能に係わる表示を「電卓」、サブ機能に係わる表示を「時計」と称して例示する。つまり、図３の「時計」は、「カレンダー」、「温度」、「湿度」又はこれらの組合せと読み替えてもよい。なお、Ｎｏ．１〜１５のモードは電子機器１が備える全てのモードではなく、例示にすぎない。他のモードがあってもよい。
【００４０】
図３は、電子機器１の状態遷移の一例を示す図である。  
モードＮｏ．１〜８は、姿勢センサ２２が電子機器１の姿勢の変化を検出したことによる電子機器１の表示の遷移の一例を示している。姿勢センサ２２は、電子機器１の姿勢の変化を検出したことをＣＰＵ１０に伝達し、ＣＰＵ１０は、表示装置３２の表示を変更させたり保持したりする。
【００４１】
モードＮｏ．１では、電子機器１の現在の姿勢は「寝」であり、電子機器１は電卓として使用されている。すなわち、表示装置３２の表示は電卓である。この状態からユーザーが電子機器１を起こす、すなわち電子機器１の姿勢を「寝」から「起」にすると、表示が時計に切り替わる。なお、図３の「遷移条件」の項目において、上向きの矢印（「↑」）は電子機器１の姿勢を「寝」から「起」にする動作を表している。
【００４２】
電子機器１を電卓として使用する場合、「寝」の姿勢で使用するのが常態である。それ故、ユーザーが電卓表示中の電子機器１の姿勢を「寝」から「起」にするのは、電卓として使用しない場合であると考えられる。したがって、モードＮｏ．１では、姿勢センサ２２が電子機器１の「寝」から「起」への姿勢変化を検出したことを遷移条件として、ＣＰＵ１０は、表示を電卓から時計に切り替えさせる。
【００４３】
モードＮｏ．２では、電子機器１の現在の姿勢は「寝」であり、表示装置３２の表示は時計である。この状態からユーザーが電子機器１を起こしても、時計表示が保持される。
【００４４】
電子機器１の姿勢が「寝」であって時計が表示されている場合、ユーザーは電子機器１を時計として使用していると考えられる。それ故、ユーザーが時計表示中の電子機器１の姿勢を「寝」から「起」にしても、ユーザーは電子機器１を時計として使用し続けたいものとし、姿勢センサ２２が電子機器１の「寝」から「起」への姿勢変化を検出しても、電子機器１は時計表示を保持する。
【００４５】
モードＮｏ．３では、電子機器１の現在の姿勢は「寝」であり、表示装置３２の表示は時計である。モードＮｏ．３では、図３の「現在の状態に至る経緯」の項目にあるように、ユーザーが時計キー４４を押下したことによって時計表示がされている。この状態からユーザーが電子機器１を起こしても、時計表示が保持される。
【００４６】
電子機器１の姿勢が「寝」であって時計キー４４の押下により時計が表示されている場合、ユーザーは電子機器１を自ら望んで時計として使用していると考えられる。それ故、ユーザーが時計表示中の電子機器１の姿勢を「寝」から「起」にしても、ユーザーは電子機器１を時計として使用し続けたいものとし、姿勢センサ２２が電子機器１の「寝」から「起」への姿勢変化を検出しても、電子機器１は時計表示を保持する。
【００４７】
モードＮｏ．４では、電子機器１の現在の姿勢は「寝」であり、表示装置３２の表示はＯＦＦである。この状態からユーザーが電子機器１を起こすと、時計が表示されるか、表示ＯＦＦが保持される。いずれとなるかは、ユーザーが予め設定可能であり、その設定による。
【００４８】
「寝」の姿勢の電子機器１の表示がＯＦＦである場合、ユーザーは電子機器１を電卓としてもガジェット表示装置としても使用していない。姿勢センサ２２が電子機器１の「寝」から「起」への姿勢変化を検出することで電子機器１がガジェット表示装置として使用するように、ユーザーが設定していた場合、姿勢変化検出に応じて、時計が表示されてよい。これにより、例えば、電子機器１が「起」の姿勢では必ずガジェット表示装置として使用することを所望するユーザーにとっての利便性を高めることができる。また、姿勢センサ２２が電子機器１の「寝」から「起」への姿勢変化を検出することで電子機器１がガジェット表示装置として使用するように、ユーザーが設定していない（表示ＯＦＦを保持するように設定している）場合、姿勢変化検出に応じて、表示ＯＦＦが保持されてよい。これにより、例えば、電池２４の節約（省電力）を重視するユーザーにとっての利便性を高めることができる。
【００４９】
モードＮｏ．５では、電子機器１の現在の姿勢は「起」であり、表示装置３２の表示は電卓である。この状態からユーザーが電子機器１を寝かせても、電卓表示が保持される。なお、図３の「遷移条件」の項目において、下向きの矢印（「↓」）は電子機器１の姿勢を「起」から「寝」にする動作を表している。
【００５０】
電子機器１は「寝」の姿勢では主に電卓として使用される。したがって、モードＮｏ．５では、姿勢センサ２２が電子機器１の「起」から「寝」への姿勢変化を検出しても、電子機器１は電卓表示を保持する。
【００５１】
モードＮｏ．６では、電子機器１の現在の姿勢は「起」であり、表示装置３２の表示は時計である。この状態からユーザーが電子機器１を寝かせると、表示が電卓に切り替わる。
【００５２】
電子機器１は「寝」の姿勢では主に電卓として使用される。したがって、ユーザーが時計表示中の電子機器１の姿勢を「起」から「寝」にしたら電子機器１を電卓として使用する意思があるものとし、姿勢センサ２２が電子機器１の「起」から「寝」への姿勢変化を検出したことを遷移条件として、ＣＰＵ１０は、表示を時計から電卓に切り替えさせる。
【００５３】
モードＮｏ．７では、電子機器１の現在の姿勢は「起」であり、表示装置３２の表示は時計である。モードＮｏ．７では、図３の「現在の状態に至る経緯」の項目にあるように、ユーザーが時計キー４４を押下したことによって時計表示がされている。この状態からユーザーが電子機器１を寝かせても、時計表示が保持される。
【００５４】
電子機器１は「寝」の姿勢では主に電卓として使用される。しかしながら、ユーザーが電子機器１の時計キー４４を押下することにより時計表示となっている場合には、たとえユーザーが電子機器１の姿勢を「起」から「寝」にしたとしても、ユーザーは電子機器１を時計として使用し続けたいものとし、姿勢センサ２２が電子機器１の「起」から「寝」への姿勢変化を検出しても、電子機器１は時計表示を保持する。
【００５５】
モードＮｏ．８では、電子機器１の現在の姿勢は「起」であり、表示装置３２の表示はＯＦＦである。この状態からユーザーが電子機器１を寝かせると、電卓が表示されるか、表示ＯＦＦが保持される。いずれとなるかは、ユーザーが予め設定可能であり、その設定による。
【００５６】
「起」の姿勢の電子機器１の表示がＯＦＦである場合、ユーザーは電子機器１を電卓としてもガジェット表示装置としても使用していない。姿勢センサ２２が電子機器１の「起」から「寝」への姿勢変化を検出することで電子機器１のメイン機能（電卓機能）を使用するように、ユーザーが設定していた場合、姿勢変化検出に応じて、電卓が表示されてよい。これにより、例えば、電子機器１が「寝」の姿勢では必ず電卓を使用することを所望するユーザーにとっての利便性を高めることができる。また、姿勢センサ２２が電子機器１の「起」から「寝」への姿勢変化を検出することで電子機器１のメイン機能（電卓機能）を使用するように、ユーザーが設定していない（表示ＯＦＦを保持するように設定している）場合、姿勢変化検出に応じて、表示ＯＦＦが保持されてよい。これにより、例えば、電池２４の節約（省電力）を重視するユーザーにとっての利便性を高めることができる。
【００５７】
モードＮｏ．９〜１５は、ユーザーが電子機器１を所定時間操作しないことによる電子機器１の表示の遷移の一例を示している。ここで、ユーザーが電子機器１を所定時間操作しない（図３では遷移条件として「所定時間無操作」と表している）とは、ユーザーが所定時間入力キーを押下しないことを指す。
【００５８】
モードＮｏ．９では、電子機器１の現在の姿勢は「寝」であり、表示装置３２の表示は電卓である。この状態でユーザーが電子機器１を所定時間操作しないと、表示がＯＦＦに切り替わる。これは、いわゆるオートパワーオフ（ＡＰＯ）と呼ばれる制御である。
【００５９】
ユーザーが電子機器１を電卓として使用している「寝」の姿勢において、ユーザーが電子機器１を所定時間操作しなかったときは、電池２４を節約するため、ＣＰＵ１０は、電子機器１の表示をＯＦＦに切り替えさせる。
【００６０】
モードＮｏ．１０では、電子機器１の現在の姿勢は「起」であり、表示装置３２の表示は電卓である。この状態でユーザーが電子機器１を所定時間操作しないと、表示が時計に切り替わるか、ＯＦＦに切り替わる（ＡＰＯ）。いずれとなるかは、ユーザーが予め設定可能であり、その設定による。
【００６１】
電子機器１の姿勢が「起」であれば、ユーザーは通常電子機器１を電卓として使用しない。このため、電子機器１の姿勢が「起」であって電卓表示のまま所定時間無操作の場合には、電子機器１はガジェット表示に切り替えられてよい。その場合、例えば、電子機器１が「起」の姿勢では必ずガジェット表示装置として使用することを所望するユーザーにとっての利便性を高めることができる。あるいは、ユーザーの設定に応じて、表示をＯＦＦとしてもよい。その場合、例えば、電池２４の節約（省電力）を重視するユーザーにとっての利便性を高めることができる。
【００６２】
モードＮｏ．１１では、電子機器１の現在の姿勢は「寝」であり、表示装置３２の表示は電卓である。モードＮｏ．１１では、図３の「現在の状態に至る経緯」の項目にあるように、電子機器１の姿勢が「寝」であって表示がＯＦＦのときにユーザーがＡＣキー４０を押下したことによって電卓表示がされている。この状態でユーザーが電子機器１を所定時間操作しないと、表示がＯＦＦに切り替わる（ＡＰＯ）。
【００６３】
ユーザーが電子機器１を電卓として使用している「寝」の姿勢において、ユーザーが電子機器１を所定時間操作しなかったときには、電池２４を節約するため、ＣＰＵ１０は、電子機器１の表示をＯＦＦに切り替えさせる。
【００６４】
モードＮｏ．１２では、電子機器１の現在の姿勢は「起」であり、表示装置３２の表示は時計である。モードＮｏ．１２では、図３の「現在の状態に至る経緯」の項目にあるように、電子機器１の姿勢が「起」であって表示がＯＦＦのときにユーザーが入力キーのうちのいずれかのキー（Ａｎｙキーと称する）を押下したことによって時計表示がされている。この状態でユーザーが電子機器１を所定時間操作しないと、表示がＯＦＦに切り替わる（ＡＰＯ）か、時計表示が保持される。いずれとなるかは、ユーザーが予め設定可能であり、その設定による。
【００６５】
電子機器１が時計表示している「起」の姿勢にあって、ユーザーが電子機器１を所定時間操作しなかったときには、電池２４を節約するため、電子機器１の表示がＯＦＦに切り替えられてよい。あるいは、ユーザーの設定に応じて、時計表示を保持してよい。つまり、電子機器１が「起」の姿勢では必ずガジェット表示装置として使用したいか、それよりも、省電力を優先したいかによって、それぞれに応じた設定を予め行っておくことにより、ユーザーが所望の動作を選定することができる。
【００６６】
なお、図３のモードＮｏ．１１、１２の「現在の状態に至る経緯」及び「現在の状態」については、図７を参照して後述する。
【００６７】
モードＮｏ．１３では、電子機器１の現在の姿勢は「起」であり、表示装置３２の表示は時計である。モードＮｏ．１３では、図３の「現在の状態に至る経緯」の項目にあるように、電子機器１はモードＮｏ．４の遷移を経て現在の状態に至っている。すなわち、表示ＯＦＦの状態の電子機器１が「寝」から「起」に姿勢変化されることで、表示装置３２に時計表示がされている。この状態でユーザーが電子機器１を所定時間操作しないと、表示がＯＦＦに切り替わる（ＡＰＯ）か、時計表示が保持される。いずれとなるかは、ユーザーが予め設定可能であり、その設定による。
【００６８】
電子機器１が時計表示している「起」の姿勢にあって、ユーザーが電子機器１を所定時間操作しなかったときには、電池２４を節約するため、電子機器１の表示がＯＦＦに切り替えられてよい。あるいは、ユーザーの設定に応じて、時計表示を保持してよい。つまり、所定時間操作しなかったときであっても、電子機器１が「起」の姿勢では必ずガジェット表示装置として使用したいか、それよりも、所定時間操作しなかったときには、省電力を優先したいかによって、それぞれに応じた設定を予め行っておくことにより、ユーザーが所望の動作を選定することができる。
【００６９】
モードＮｏ．１４では、電子機器１の現在の姿勢は「起」であり、表示装置３２の表示は時計である。モードＮｏ．１４では、電子機器１は、図３の「現在の状態に至る経緯」の項目にあるように、モードＮｏ．１〜３のいずれかの遷移を経て現在の状態に至っている。すなわち、電卓又は時計表示の状態の電子機器１が「寝」から「起」に姿勢変化されることで、表示装置３２に時計表示がされている。この状態でユーザーが電子機器１を所定時間操作しないと、表示がＯＦＦに切り替わる（ＡＰＯ）か、時計表示が保持される。いずれとなるかは、ユーザーが予め設定可能であり、その設定による。
【００７０】
電子機器１が時計表示している「起」の姿勢にあって、ユーザーが電子機器１を所定時間操作しなかったときには、電池２４を節約するため、電子機器１の表示がＯＦＦに切り替えられてよい。あるいは、ユーザーの設定に応じて、時計表示を保持してよい。つまり、所定時間操作しなかったときであっても、電子機器１が「起」の姿勢では必ずガジェット表示装置として使用したいか、それよりも、所定時間操作しなかったときには、省電力を優先したいかによって、それぞれに応じた設定を予め行っておくことにより、ユーザーが所望の動作を選定することができる。
【００７１】
モードＮｏ．１５では、電子機器１の現在の姿勢は「寝」（モードＮｏ．１５−１）又は「起」（モードＮｏ．１５−２）であり、表示装置３２の表示は時計である。モードＮｏ．１５では、図３の「現在の状態に至る経緯」の項目にあるように、電子機器１が「寝」又は「起」の姿勢でユーザーが時計キー４４を押下したことによって時計表示がされている。この状態でユーザーが電子機器１を所定時間操作しないと、表示は時計を保持するか、表示がＯＦＦに切り替わる（ＡＰＯ）。いずれとなるかは、ユーザーが予め設定可能であり、その設定による。
【００７２】
電子機器１が時計表示している「寝」の姿勢であっても「起」の姿勢であっても、ユーザーが時計キー４４を押下して時計表示となっている場合には、ユーザーが電子機器１を所定時間操作しなくても、ユーザーは電子機器１を時計として使用し続けたいものとし、時計表示を保持してよい。あるいは、ユーザーの設定に応じて、電池２４を節約するため、電子機器１の表示がＯＦＦに切り替えられてよい。つまり、所定時間操作しなかったときであっても、時計キー４４を押下して時計表示とした場合には必ずガジェット表示装置として使用したいか、それよりも、所定時間操作しなかったときには、時計キー４４を押下して時計表示とした場合でも省電力を優先したいかによって、それぞれに応じた設定を予め行っておくことにより、ユーザーが所望の動作を選定することができる。
【００７３】
モードＮｏ．９〜１５では、図３の「ソーラー判定」の項目に○で示したように、ＣＰＵ１０がソーラー電池２６の使用可否の判定をして、使用可能な場合には、電池２４を給電源とするかしないかにかかわらず、ソーラー電池２６も給電源としてよい。電子機器１の使用環境の照度が十分明るく、ソーラー電池２６が使用可能であった場合、電子機器１は、例えば、モードＮｏ．１０、１２〜１５において給電源として少なくともソーラー電池２６を使用する「ソーラーフル活用モード」で動作してよい。モードＮｏ．１０、１２〜１５のソーラーフル活用モードでは、図３の「遷移後の状態」の「表示」が時計に設定される。ソーラーフル活用モードでは、所定時間無操作であってもＡＰＯとはせず、ソーラー電池２６を給電源としてガジェット表示に切り替える、又はガジェット表示を継続させる。これにより、電子機器１が「起」の姿勢か「寝」の姿勢かにかかわらず、電池２４の消耗を気にせず必ずガジェット表示装置として使用することで、電子機器１をガジェット表示装置として使用したいユーザーだけでなく、省電力を優先したいユーザーの利便性も高めることができる。
【００７４】
あるいは、電子機器１の使用環境の照度が十分でなく、ソーラー電池２６が使用可能でなかった場合、電子機器１は、モードＮｏ．１０、１２〜１５において給電源としてソーラー電池２６を使用せず電池２４を使用する「電池節約モード」で動作してよい。モードＮｏ．１０、１２〜１５の電池節約モードでは、図３の「遷移後の状態」の「表示」がＯＦＦで動作してよい。すなわち、電池節約モードでは、所定時間無操作であればＡＰＯとして電池２４を節約する。これにより、電池２４の節約（省電力）を重視するユーザーにとっての利便性を高めることができる。
【００７５】
図４は、図３に示されるモードＮｏ．９〜１５を電子機器１の現在の状態の観点から整理した図である。
【００７６】
電子機器１の現在の姿勢が「寝」であり、表示が電卓である場合、ソーラー電池２６が使用可能であるかどうかにかかわらず、所定時間無操作であった場合に遷移条件が満たされて、表示がＯＦＦに切り替わる（モードＮｏ．９、１１）。
【００７７】
電子機器１の現在の姿勢が「寝」であり、表示が時計である場合、所定時間無操作であった場合に遷移条件が満たされて、「ソーラーフル活用モード」では、時計表示が保持され、「電池節約モード」では、表示がＯＦＦに切り替わる（モードＮｏ．１５−１）。
【００７８】
電子機器１の現在の姿勢が「起」であり、表示が電卓である場合、所定時間無操作であった場合に遷移条件が満たされて、「ソーラーフル活用モード」では、時計表示に切り替えられ、「電池節約モード」では、表示がＯＦＦに切り替わる（モードＮｏ．１０）。
【００７９】
電子機器１の現在の姿勢が「起」であり、表示が時計である場合、所定時間無操作であった場合に遷移条件が満たされて、「電池節約モード」では、表示がＯＦＦに切り替えられ、「ソーラーフル活用モード」では、時計表示が保持される（モードＮｏ．１２〜１４、１５−２）。
【００８０】
なお、ソーラー電池２６が内蔵された電子機器１において、無操作のまま所定時間が経過したときに、電子機器１の使用環境の照度が十分でなく、ソーラー電池２６が使用可能でなかった場合であっても、モードＮｏ．１０、１２〜１５において、図３の「遷移後の状態」の「表示」が時計に設定されて、かつ、継続的に電池２４を使用する「ガジェット表示優先モード」を、ユーザーが設定できてもよい。これにより、電子機器１が「起」の姿勢か「寝」の姿勢かにかかわらず、かつ、ソーラー電池２６が使用可能であるかどうかにかかわらず、電子機器１を必ずガジェット表示装置として使用することを所望するユーザーにとっての利便性を高めることができる。
【００８１】
図５は、図３に示されるモードのうち、現在の状態が時計表示であるものの一部を抜粋した図である。各モードの利点は、前述の通りであるので、ここでは説明を省略する。
【００８２】
時計キー４４の押下により時計表示をしている「寝」の姿勢の電子機器１が起こされても、電子機器１は時計表示を保持する（モードＮｏ．３）。
【００８３】
時計キー４４の押下により時計表示をしている「寝」又は「起」の姿勢の電子機器１が所定時間操作されないと、電子機器１は時計表示を保持するか、表示ＯＦＦに切り替えられる（モードＮｏ．１５）。
【００８４】
時計表示をしている「起」の姿勢の電子機器１が寝かせられると、電子機器１は電卓表示に切り替えられる（モードＮｏ．６）。
【００８５】
時計キー４４の押下により時計表示をしている「起」の姿勢の電子機器１が寝かせられると、電子機器１は時計表示を保持する（モードＮｏ．７）。
【００８６】
本実施形態では、ＣＰＵ１０は、モードＮｏ．１〜１５に従い、電子機器１の姿勢及び無操作の経過時間に応じた最適な制御を行う。ＣＰＵ１０は、姿勢センサ２２が検出する第１の姿勢（電子機器１を台２の支持面上に寝かせた「寝」の姿勢）及び第２の姿勢（電子機器１を台２の支持面上に立てた「起」の姿勢）と、メイン機能に係わる表示及びサブ機能に係わる表示との組合せに基づいて、表示を出力しないこと又は出力する表示を選択する。
【００８７】
図６Ａ及び図６Ｂは、電子機器１における遷移検出処理、ＡＰＯ／ガジェット表示処理の一例のフローチャートである。
【００８８】
ステップＳ１１において、ＣＰＵ１０は、入力キーによる入力があったか否かを判定する。入力があったと判定された場合には（Ｙｅｓ）、処理はステップＳ１２に進む。入力がないと判定された場合には（Ｎｏ）、処理はステップＳ２１に進む。
【００８９】
ステップＳ１２において、ＣＰＵ１０は、所定時間無操作であるかを判定するためのカウンタをクリアする処理を行う。
【００９０】
ステップＳ１３において、ＣＰＵ１０は、入力キーによる入力に基づく処理を行う。例えば、数字キーや演算キーが入力された場合には演算処理を行い、時計キー４４が入力された場合には時計表示処理を行う。ステップＳ１３の後、処理はステップＳ１４に進む。
【００９１】
ステップＳ１４において、ＣＰＵ１０は、姿勢センサ２２が電子機器１の「寝」から「起」への姿勢変化を検出したか否かを判定する。姿勢変化を検出したと判定された場合には（Ｙｅｓ）、処理はステップＳ１５に進む。姿勢変化を検出しなかったと判定された場合には（Ｎｏ）、処理はステップＳ１６に進む。
【００９２】
ステップＳ１５において、ＣＰＵ１０は、電子機器１の「寝」から「起」への姿勢変化の検出があった場合の各モード（モードＮｏ．１〜４）に従う状態設定を行う。ステップＳ１５の後、処理はステップＳ１８に進む。
【００９３】
ステップＳ１６において、ＣＰＵ１０は、姿勢センサ２２が電子機器１の「起」から「寝」への姿勢変化を検出したか否かを判定する。姿勢変化を検出したと判定された場合には（Ｙｅｓ）、処理はステップＳ１７に進む。姿勢変化を検出しなかったと判定された場合には（Ｎｏ）、処理はステップＳ１１に戻る。
【００９４】
ステップＳ１７において、ＣＰＵ１０は、電子機器１の「起」から「寝」への姿勢変化の検出があった場合の各モード（モードＮｏ．５〜８）に従う状態設定を行う。ステップＳ１７の後、処理はステップＳ１８に進む。
【００９５】
ステップＳ１８において、ＣＰＵ１０は、ステップＳ１５又はＳ１７での状態設定に基づく表示処理を行う。なお、ここでの状態設定はＡＰＯを除く。ステップＳ１８の後、ステップＳ１９において、ＣＰＵ１０は、所定時間無操作であるかを判定するためのカウンタをクリアする処理を行う。その後、処理はステップＳ１１に戻る。
【００９６】
ステップＳ１１において入力がないと判定された場合には（Ｎｏ）、処理はステップＳ２１に進む。ステップＳ２１において、ＣＰＵ１０は、カウンタを更新する。
【００９７】
ステップＳ２２において、ＣＰＵ１０は、カウンタのカウント数に基づいて、所定時間無操作であるか、すなわち無操作のまま所定時間経過したか否かを判定する。所定時間経過したと判定されなかった場合には（Ｎｏ）、処理はステップＳ１４に進む。所定時間経過したと判定された場合には（Ｙｅｓ）、処理はステップＳ２３に進む。
【００９８】
ステップＳ２３において、ＣＰＵ１０は、電子機器１がソーラー駆動の可否を、すなわち給電源をソーラー電池２６とすることができるか否かを判定する。既にソーラー駆動中である場合には、ＣＰＵ１０は、ソーラー駆動可能であると判定してよい。ソーラー駆動不可であると判定された場合には（Ｎｏ）、処理はステップＳ２４に進む。ソーラー駆動可能であると判定された場合には（Ｙｅｓ）、処理はステップＳ２７に進む。なお、電子機器１がソーラー電池２６を備えない場合は、ソーラー駆動不可であると判定してもよいし、ステップＳ２３の判定処理を省略して、処理がステップＳ２４に進んでもよい。
【００９９】
ステップＳ２４において、ＣＰＵ１０は、無操作のまま所定時間が経過したときに、ソーラー駆動が不可であった場合の各モード（モードＮｏ．９〜１５（ソーラー駆動不可））に従う状態設定を行う。
【０１００】
ステップＳ２５において、ＣＰＵ１０は、ステップＳ２４での状態設定がＡＰＯであるか否かを判定する。ＡＰＯでないと判定された場合には（Ｎｏ）、処理はステップＳ１８に進む。その後の処理は、前述した通りであるので、説明を省略する。
【０１０１】
ステップＳ２５において、ＡＰＯであると判定された場合には（Ｙｅｓ）、処理はステップＳ２６に進む。ステップＳ２６において、ＣＰＵ１０は、表示装置３２の表示をＯＦＦとする（ＡＰＯ）。ステップＳ２６の後、処理は終了する。
【０１０２】
一方、ステップＳ２３において、ソーラー駆動可能であると判定された場合には（Ｙｅｓ）、処理はステップＳ２７に進む。ステップＳ２７において、ＣＰＵ１０は、「ガジェット表示優先モード」が設定されているかどうかを判定する。
【０１０３】
ステップＳ２７において、「ガジェット表示優先モード」が設定されていると判定された場合には（Ｙｅｓ）、処理はステップＳ２８に進む。ステップＳ２８において、ＣＰＵ１０は、表示装置３２にサブ機能に係わるガジェット表示をさせる。ここでは、図３に示されるモードＮｏ１０、１２〜１５の「遷移後の状態」の「表示」として「時計」が設定されているものとしている。ステップＳ２８の後、処理はステップＳ１９に進み、ＣＰＵ１０は、所定時間無操作であるかを判定するためのカウンタをクリアする処理を行う。その後、処理はステップＳ１１に戻る。
【０１０４】
一方、ステップＳ２７において、「ガジェット表示優先モード」が設定されていると判定されなかった場合には（Ｎｏ）、処理はステップＳ２９に進む。ステップＳ２９において、ＣＰＵ１０は、無操作のまま所定時間が経過したときに、ソーラー駆動が可能であった場合の各モード（モードＮｏ．９〜１５（ソーラー駆動可能））に従う状態設定を行う。
【０１０５】
なお、電子機器１は「ガジェット表示優先モード」を設定できないものであってもよい。その場合、ステップＳ２３において、ソーラー駆動可能であると判定された場合には（Ｙｅｓ）、ＣＰＵ１０は、ステップＳ２７の処理を実行せず、ステップＳ２９に処理を進めてもよい。
【０１０６】
ステップＳ２９の後、処理はステップＳ２５に進む。その後の処理は、前述した通りであるので、説明を省略する。
【０１０７】
また、ステップＳ２２において、ＣＰＵ１０は、カウンタのカウント数に基づいて、所定時間経過したと判定された場合に（Ｙｅｓ）、処理をステップＳ２７へ進めてもよい。この場合、ステップＳ２７において、「ガジェット表示優先モード」が設定されていると判定された場合には、処理はステップＳ２８に進む。一方、ステップＳ２７において、「ガジェット表示優先モード」が設定されていると判定されなかった場合には（Ｎｏ）、処理はステップＳ２３に進む。ステップＳ２３において、ソーラー駆動不可であると判定された場合には（Ｎｏ）、処理はステップＳ２４に進み、ソーラー駆動可能であると判定された場合には（Ｙｅｓ）、処理はステップＳ２９に進む。ステップＳ２４、Ｓ２８、Ｓ２９の各処理より後の処理は、前述した通りであるので、説明を省略する。
【０１０８】
このように、本実施形態では、メイン機能に係わる表示又はサブ機能に係わる表示をしているときに所定時間入力を受け付けなかった場合（ステップＳ２２−Ｙｅｓ）、ソーラー電池２６の使用可否を判定する（ステップＳ２３）。そして、ソーラー電池２６が使用可能な場合（ステップＳ２３−Ｙｅｓ）であってガジェット表示優先設定の場合には（ステップＳ２７−Ｙｅｓ）、ソーラー電池２６を給電源として選択し、サブ機能に係わる表示を出力中であればそのままサブ機能に係わる表示を保持する（ステップＳ２８；例えばモードＮｏ．１２〜１５の「遷移後の状態」の「表示」の「時計」）。
【０１０９】
また、ＣＰＵ１０は、ソーラー電池２６の使用可否の判定（ステップＳ２３）において使用不可の場合（ステップＳ２３−Ｎｏ）、表示を出力しない（ステップＳ２６；例えばモードＮｏ．９〜１５の「遷移後の状態」の「表示」の「ＯＦＦ」）、又は、状態設定に基づく表示処理（ＡＰＯを除く）をする（ステップＳ１８；例えばモードＮｏ．１０、１２〜１５の「遷移後の状態」の「表示」の「時計」）。あるいは、ＣＰＵ１０は、ソーラー電池２６が使用可能（ステップＳ２３−Ｙｅｓ）であるがガジェット表示優先設定でない場合には（ステップＳ２７−Ｎｏ）、表示を出力しない（ステップＳ２６；例えばモードＮｏ．９〜１５の「遷移後の状態」の「表示」の「ＯＦＦ」）。
【０１１０】
図７は、キー入力処理の一例を示すフローチャートである。図７に示される処理は、例えば、図６のステップＳ２４又はＳ２９のＡＰＯの後の処理であってよい。もちろん、ユーザーがＯＦＦキー４２を押下した後の処理であってもよい。すなわち、ステップＳ３１における電子機器１の表示はＯＦＦである。図７に示される処理は、モードＮｏ．１１又は１２の「現在の状態に至る経緯」及び「現在の状態」に対応している。
【０１１１】
ステップＳ３１において、ＣＰＵ１０は、姿勢センサ２２による姿勢検出により、電子機器１の姿勢が「寝」であるか「起」であるかを判定する。「寝」であると判定された場合には、処理はステップＳ３２に進む。「起」であると判定された場合には、処理はステップＳ３３に進む。
【０１１２】
ステップＳ３２において、ＣＰＵ１０は、ＡＣキー４０の入力があったか否かを判定する。入力がなかったと判定された場合には（Ｎｏ）、処理はステップＳ３１に戻る。入力があったと判定された場合には（Ｙｅｓ）、処理はステップＳ３４に進む。ステップＳ３４において、ＣＰＵ１０は、表示装置３２に電卓表示をさせる。ステップＳ３４の後、処理は終了する。
【０１１３】
一方、ステップＳ３３において、ＣＰＵ１０は、Ａｎｙキー入力があったか否かを判定する。入力がなかったと判定された場合には（Ｎｏ）、処理はステップＳ３１に戻る。入力があったと判定された場合には（Ｙｅｓ）、処理はステップＳ３５に進む。ステップＳ３５において、ＣＰＵ１０は、表示装置３２にガジェット表示をさせる。ステップＳ３５の後、処理は終了する。
【０１１４】
このように、電子機器１では、表示装置３２の表示がＯＦＦであって電子機器１の姿勢が第１の姿勢（「寝」）の場合（ステップＳ３２）には、ＡＣキー４０が押下されたときに電卓表示がされる。つまり、ＣＰＵ１０は、入力装置２８の複数の入力キーのうちの一部のキーであるＡＣキー４０からの入力のみを表示装置３２の表示をＯＮにするための指示として受け付ける。一方、表示ＯＦＦであって電子機器１の姿勢が第２の姿勢（「起」）の場合（ステップＳ３３）には、入力装置２８の複数の入力キーのいずれが押下されても時計表示がされる。つまり、ＣＰＵ１０は、入力装置２８のいずれかの入力キーからの入力を表示装置３２の表示をＯＮにするための指示として受け付ける。電子機器１の姿勢に応じて、表示（電源）をＯＮにする指示部として機能するキーの種類が変えられ、さらに、電子機器１の姿勢に応じて、表示（電源）をＯＮにした直後の表示も変えられる。
【０１１５】
電子機器１の姿勢が第２の姿勢（「起」）の場合、ユーザーは特定の入力キーを狙って押しづらいので、いずれの入力キーが押下されても、表示装置３２の表示をＯＮにするための指示として受け付ける。一方、電子機器１の姿勢が第１の姿勢（「寝」）の場合は、電子機器１が机上に置かれている場合が含まれるので、すべての入力キーの押下を受け付けると、例えば、電子機器１の入力装置２８に誤って指が触れたり、物が落ちたりして、意図しない操作が実行される可能性が、電子機器１の姿勢が第２の姿勢（「起」）の場合に比べて、比較的高いと考えられる。また、電子機器１の姿勢が第１の姿勢（「寝」）の場合、電子機器１の姿勢が第２の姿勢（「起」）の場合に比べて、ユーザーは特定の入力キーを狙って押しやすいので、ＡＣキー４０からの入力のみを表示装置３２の表示をＯＮにするための指示として受け付ける。
【０１１６】
上述の例に限らず、表示ＯＦＦのときに、表示（電源）をＯＮにするための指示として受け付けるキーの個数は、電子機器１の姿勢が第１の姿勢（「寝」）の場合（ステップＳ３２）よりも、電子機器１の姿勢が第２の姿勢（「起」）の場合（ステップＳ３３）に、多くなるように設定してよい。また、例えば、表示ＯＦＦのときに、表示（電源）をＯＮにするための指示として受け付けるキーは、電子機器１の姿勢が第１の姿勢（「寝」）の場合（ステップＳ３２）は、入力装置２８の周縁部に配置された１つ以上のキーとし、電子機器１の姿勢が第２の姿勢（「起」）の場合（ステップＳ３３）は、入力装置２８の中央部に配置された複数のキーとしてもよい。
【０１１７】
つまり、電子機器１の姿勢が第１の姿勢（「寝」）の場合には、ユーザーがキーを意図せず操作し、誤って指示を与えないように、より少ない又は周縁部にある１以上の入力キーからの入力を、表示装置３２の表示をＯＮにするための指示として受け付ける。また、電子機器１の姿勢が第２の姿勢（「起」）の場合には、ユーザーが特定のキーを狙わなくとも指示を与えやすいように、より多い又は中央部にある複数の入力キーからの入力を、表示装置３２の表示をＯＮにするための指示として受け付ける。
【０１１８】
本実施形態によれば、電子機器１では、電子機器１の姿勢及び無操作の継続時間に応じて、メイン機能に係わる表示とサブ機能に係わる表示と表示ＯＦＦとが最適に切り替えられる。したがって、ユーザーにとってより使いやすく便利な電子機器１を提供することができる。
【０１１９】
本実施形態では、電子機器１は、所定の無操作時間が経過すると表示をＯＦＦとする（ＡＰＯ）が、ソーラー駆動可の場合には、表示をＯＦＦとせずサブ機能に係わる表示とし、ＣＰＵ１０の給電源をソーラー電池２６として電池２４を消費しないようにすることができる。したがって、電池２４を消費することなく、表示をサブ機能に係わる表示に切り替える又はサブ機能に係わる表示を継続することができる。それ故、電子機器１をメイン機能として使用していない場合にサブ機能に係わるガジェット表示装置として使用し続けることができ、より便利である。
【０１２０】
また、ソーラー駆動不可の場合にも、通常のＡＰＯ処理をすることにより、電池２４を節約することが可能である。
【０１２１】
本実施形態では、モードＮｏ．１１又は１２について図７を参照して説明したように、電子機器１の姿勢に応じて電子機器１の表示をＯＮにするキーの種類を変え、さらに、ＯＮにした際の表示も姿勢に応じて変えている。つまり、電子機器１の姿勢が「起」のときは、どのキーを押しても表示ＯＮとなりガジェット表示がされ、「寝」のときは通常の電卓と同様に、ある特定のキー（例えばＡＣキー４０）を押した場合のみ表示ＯＮとなる。
【０１２２】
時計等のガジェット表示機能を有する電子機器では、通常、電源ＯＮとするための入力キーは電子機器１の姿勢によらず一定である。例えば、表示ＯＦＦであって電子機器１の姿勢が「起」であるときにユーザーが電子機器１にガジェット表示をさせたい場合、特定のキーを押す必要があった。しかしながら、「起」の姿勢ではその特定のキーを押しにくい場合がある。
【０１２３】
これに対して、本実施形態では、電子機器１の姿勢に応じて表示ＯＮにするキーを変えている。例えば、表示ＯＦＦであって電子機器１の姿勢が「起」であるときにユーザーが電子機器１にガジェット表示させたい場合、ユーザーは、入力装置２８の複数の入力キーのいずれかを押せば済む。どのキーを押してもガジェット表示がされるようにすることで、ユーザーにとってより使いやすい電子機器１を提供することができる。
【０１２４】
また、表示ＯＦＦであって電子機器１の姿勢が「寝」であるときにユーザーが電子機器１を電卓として使用したい場合には、従来通り特定のキーのみを有効としている。これにより、押し間違いによる表示ＯＮ操作を防ぐことができる。
【０１２５】
なお、電子機器１のメイン機能が電卓機能、サブ機能が時計表示、温度表示、湿度表示などの機能であるとして説明してきたが、メイン機能及びサブ機能はこれに限定されない。また、各機能の推奨姿勢も「寝」又は「起」に限定されない。
【０１２６】
図３に示されるモードのうち、モードＮｏ．９〜１５では、姿勢センサ２２がなくても遷移条件を識別可能である。モードＮｏ．９〜１５のみを備える電子機器１であれば、姿勢センサ２２は不要である。
【０１２７】
時計キー４４を押下して時計表示をしているモード（モードＮｏ．３、７、１５）以外のモードでは、時計キー４４は不要である。
【０１２８】
モードＮｏ．１〜８は、ソーラー電池２６を備えず電池２４のみを備える電子機器１にも適用可能である。さらに、モードＮｏ．９〜１５も、ソーラー電池２６を備えず電池２４のみを備える電子機器１に対して適用可能である。その場合には、電池２４を節約するために上述の電池節約モードを設定することが有効である。
【０１２９】
本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【０１３０】
以下に、本出願の出願当初の特許請求の範囲に記載された発明を付記する。
［１］電子機器であって、
制御装置と、
前記制御装置からの出力に基づいて、該出力に応じた内容を表示する状態と、何も表示しない状態とが切り替わる表示装置と、を備え、
前記表示装置は、該表示装置が何も表示していないときに、
前記電子機器の姿勢がある姿勢である場合、前記電子機器の入力装置の複数の入力部のうちの１つの第１入力部への入力操作が行われたことに応じて、表示を行い、
前記電子機器が前記ある姿勢とは異なる姿勢である場合、前記電子機器の入力装置の複数の入力部のうちの２つ以上の第２入力部のいずれかへの入力操作が行われたことに応じて、表示を行う、電子機器。
［２］前記表示装置は、
水平面又は前記電子機器の設置面に対する、前記電子機器の表示装置および入力装置の少なくともいずれかの傾き方を、前記電子機器の姿勢として、前記制御装置からの出力に基づいて、表示を行う、［１］に記載の電子機器。
［３］電子機器であって、
制御装置と、
前記制御装置からの出力に基づいて、該出力に応じた内容を表示する状態と、何も表示しない状態とが切り替わる表示装置と、を備え、
前記表示装置は、該表示装置が何も表示していないときに、
前記電子機器の入力装置が、前記制御装置が実行可能な複数の機能のうちの第１の機能に係わる入力操作をユーザーが前記電子機器の入力装置に対して行うのに適した傾き方である場合、該電子機器の入力装置の複数の入力部のうちの１つの第１入力部への入力操作が行われたことに応じて、前記第１の機能に係わる表示を行い、
前記電子機器の該表示装置が、前記複数の機能のうちの第２の機能に係わる表示が出力された前記表示装置をユーザーが視認するのに適した傾き方である場合、前記電子機器の前記入力装置の複数の入力部のうちの２つ以上の第２入力部のいずれかへの入力操作が行われたことに応じて、前記第２の機能に係わる表示を行う、電子機器。
［４］前記第１の機能は、電卓機能であり、
前記第２の機能は、時計表示機能、カレンダー表示機能、温度表示機能、湿度表示機能、又はこれらの組合せである、［３］に記載の電子機器。
［５］電子機器であって、
制御装置と、
前記制御装置からの出力に基づいて、該出力に応じた内容を表示する状態と、何も表示しない状態とが切り替わる表示装置と、
前記電子機器の姿勢がある姿勢であるか否かを検知する姿勢センサと、
入力操作を受け付ける複数の入力部を有する入力装置と、を備え、
前記制御装置は、
前記電子機器の姿勢がある姿勢であることが前記姿勢センサにより検知されているときであって、且つ、前記表示装置によって何も表示させていないときに、前記入力装置の前記複数の入力部のうちの１つの第１入力部への入力が受け付けられると、前記表示装置によって表示を行わせ、
前記電子機器が前記ある姿勢とは異なる姿勢であることが前記姿勢センサにより検知されているときであって、且つ、前記表示装置によって何も表示させていないときに、前記入力装置の前記複数の入力部のうちの２つ以上の第２入力部のいずれかへの入力操作が受け付けられると、前記表示装置によって表示を行わせる、電子機器。
［６］前記姿勢センサは、
水平面又は前記電子機器の設置面に対する、前記電子機器の表示装置および入力装置の少なくともいずれかの傾き方を、前記電子機器の前記姿勢として検知する、［５］に記載の電子機器。
［７］電子機器であって、
制御装置と、
前記制御装置からの出力に基づいて、該出力に応じた内容を表示する状態と、何も表示しない状態とが切り替わる表示装置と、
入力操作を受け付ける複数の入力部を有する入力装置と、
前記入力装置が、前記制御装置が実行可能なある機能に係わる入力操作を行うのに適した傾き方であるか否かを検知する姿勢センサと、を備え、
前記制御装置は、
前記入力装置が前記ある機能に係わる入力操作を行うのに適した傾き方であることが前記姿勢センサにより検知されているときであって、且つ、前記表示装置によって何も表示させていないときに、前記入力装置の前記複数の入力部のうちの１つの第１入力部への入力が受け付けられると、前記ある機能に係わる表示を、前記表示装置によって行わせる、電子機器。
［８］前記１つの第１入力部は、前記複数の入力部のうちの１つの入力部のみを含む、［１］乃至［７］の何れか１に記載の電子機器。
［９］前記１つの第１入力部は、前記入力装置の周縁部に配置された入力部である、［１］乃至［８］の何れか１に記載の電子機器。
［１０］電子機器であって、
制御装置と、
前記制御装置からの出力に基づいて、該出力に応じた内容を表示する状態と、何も表示しない状態とが切り替わる表示装置と、
入力操作を受け付ける複数の入力部を有する入力装置と、
前記表示装置が、前記制御装置が実行可能なある機能に係わる表示を視認するのに適した傾き方であるか否かを検知する姿勢センサと、を備え、
前記制御装置は、
前記表示装置が表示を前記ある機能に係わる視認するのに適した傾き方であることが前記姿勢センサにより検知されているときであって、且つ、前記表示装置によって何も表示させていないときに、前記入力装置の前記複数の入力部のうちの２つ以上の第２入力部のいずれかへの入力が受け付けられると、前記ある機能に係わる表示を、前記表示装置によって行わせる、電子機器。
［１１］前記２つ以上の第２入力部は、前記複数の入力部のすべての入力部を含む、［１］乃至［１０］の何れか１に記載の電子機器。
［１２］前記２つ以上の第２入力部は、前記入力装置の中央部に配置された入力部である、［１］乃至［１１］の何れか１に記載の電子機器。
［１３］電子機器の制御方法であって、前記電子機器は、
制御装置と、
前記制御装置からの出力に基づいて、該出力に応じた内容を表示する状態と、何も表示しない状態とが切り替わる表示装置と、
前記電子機器の姿勢がある姿勢であるか否かを検知する姿勢センサと、
入力操作を受け付ける複数の入力部を有する入力装置と、を備え、
前記制御装置は、
電子機器の姿勢がある姿勢であることが前記姿勢センサにより検知されているときであって、且つ、前記表示装置によって何も表示させていないときに、前記入力装置の前記複数の入力部のうちの１つの第１入力部への入力が受け付けられると、前記表示装置によって表示を行わせ、
前記電子機器が前記ある姿勢とは異なる姿勢であることが前記姿勢センサにより検知されているときであって、且つ、前記表示装置によって何も表示させていないときに、前記入力装置の前記複数の入力部のうちの２つ以上の第２入力部のいずれかへの入力操作が受け付けられると、前記表示装置によって表示を行わせる、電子機器の制御方法。
［１４］制御装置と、
前記制御装置からの出力に基づいて、該出力に応じた内容を表示する状態と、何も表示しない状態とが切り替わる表示装置と、
電子機器の姿勢がある姿勢であるか否かを検知する姿勢センサと、
入力操作を受け付ける複数の入力部を有する入力装置と、を備える電子機器において、
制御装置に、
電子機器の姿勢がある姿勢であることが前記姿勢センサにより検知されているときであって、且つ、前記表示装置によって何も表示させていないときに、前記入力装置の前記複数の入力部のうちの１つの第１入力部への入力が受け付けられると、前記表示装置によって表示を行わせ、
前記電子機器が前記ある姿勢とは異なる姿勢であることが前記姿勢センサにより検知されているときであって、且つ、前記表示装置によって何も表示させていないときに、前記入力装置の前記複数の入力部のうちの２つ以上の第２入力部のいずれかへの入力操作が受け付けられると、前記表示装置によって表示を行わせる、ことを実行させるためのプログラム。
［１５］電子機器であって、
前記電子機器の姿勢を検出する姿勢センサと、
第１の入力部を含む複数の入力部からなり、入力操作を受ける、入力装置と、
前記入力装置からの入力に応じて表示を出力する制御装置と、
前記出力に応じた表示をする表示装置と、
を具備し、
前記制御装置は、
前記表示装置の表示がＯＦＦかつ前記姿勢センサがある姿勢であることを検出したとき、前記第１の入力部からの入力を前記表示装置の表示をＯＮにするための指示として受け付け、
前記表示装置の表示がＯＦＦかつ前記姿勢センサが前記ある姿勢ではないことを検出したとき、前記複数の入力部のいずれかからの入力を前記表示装置の表示をＯＮにするための指示として受け付ける、電子機器。
［１６］前記電子機器は、メイン機能とサブ機能とを備え、
前記制御装置は、
前記表示装置の表示がＯＦＦかつ前記電子機器が水平面又は該電子機器の設置面に対して起きた姿勢であることを前記姿勢センサが検出したとき、前記第１の入力部からの入力に応じて、電卓機能に係わる表示を出力し、
前記表示装置の表示がＯＦＦかつ前記電子機器が水平面又は該電子機器の設置面に対して寝た姿勢であることを前記姿勢センサが検出したとき、前記複数の入力部のいずれかからの入力に応じて、時計表示機能、カレンダー表示機能、温度表示機能、湿度表示機能、又はこれらの組合せに係わる表示を出力する、［１５］に記載の電子機器。
［１７］電子機器の第１の姿勢と第２の姿勢とを検出することと、
前記電子機器の表示装置の表示がＯＦＦかつ前記第１の姿勢を検出したとき、第１の入力部を含む複数の入力部のうちの前記第１の入力部からの入力を前記表示装置の表示をＯＮにするための指示として受け付けることと、
前記表示装置の表示がＯＦＦかつ前記第２の姿勢を検出したとき、前記複数の入力部のいずれかからの入力を前記表示装置の表示をＯＮにするための指示として受け付けることと、を含む、電子機器の制御方法。
［１８］コンピュータに、
電子機器の第１の姿勢と第２の姿勢とを検出することと、
前記電子機器の表示装置の表示がＯＦＦかつ前記第１の姿勢を検出したとき、第１の入力部を含む複数の入力部のうちの前記第１の入力部からの入力を前記表示装置の表示をＯＮにするための指示として受け付けることと、
前記表示装置の表示がＯＦＦかつ前記第２の姿勢を検出したとき、前記複数の入力部のいずれかからの入力を前記表示装置の表示をＯＮにするための指示として受け付けることと、を実行させるためのプログラム。
【符号の説明】
【０１３１】
１…電子機器、１０…ＣＰＵ（制御部）、１２…ＲＡＭ、１４…ＲＯＭ、１６…時計モジュール、１８…温度センサ、２０…湿度センサ、２２…姿勢センサ、２４…電池、２６…ソーラー電池（発電部）、２８…入力装置、３０…表示駆動部（ＤＤ）、３２…表示装置。
【図１】
2019174927.tif 000003
【図２Ａ】
2019174927.tif 000004
【図２Ｂ】
2019174927.tif 000005
【図２Ｃ】
2019174927.tif 000006
【図３】
2019174927.tif 000007
【図４】
2019174927.tif 000008
【図５】
2019174927.tif 000009
【図６Ａ】
2019174927.tif 000010
【図６Ｂ】
2019174927.tif 000011
【図７】
2019174927.tif 000012